(57)【特許請求の範囲】
【請求項１】
表面性状の表記に関する規格に従って設計図面に記載される図面記号の入力領域を有する図面記号入力画面を表示する表示制御部と、
前記図面記号入力画面に設けられた入力領域への前記図面記号の入力を受け付ける入力受付部と、
被測定物の表面変位の測定結果から前記入力受付部が受け付けた図面記号に基づき被測定物の表面性状に関する情報である表面性状情報を演算する演算部と
を備えることを特徴とする表面性状測定装置。
【請求項２】
前記図面記号入力画面と前記図面記号に対応する設定記号の入力領域を有する設定記号入力画面とを切り替えるための画面切替制御を行う表示形式切替部を備え、
前記表示制御部は、前記図面記号入力画面を表示しているときの前記表示形式切替部による画面切替制御に従って、前記図面記号入力画面から、入力領域に入力された図面記号を対応する設定記号に変換した前記設定記号入力画面に切替表示し、
前記入力受付部は、前記設定記号入力画面に設けられた入力領域への前記設定記号の入力を受け付け、
前記演算部は、前記測定結果から前記入力受付部が受け付けた前記設定記号に対応する図面記号に基づき被測定物の表面性状に関する情報である表面性状情報を演算する
ことを特徴とする請求項１記載の表面性状測定装置。
【請求項３】
前記入力受付部にて受け付けた前記図面記号である既入力値が所定の入力条件に合致するか否かを判定する入力条件判定部と、
前記既入力値が前記入力条件に合致しないと判定されたときに、その旨を報知する報知部と
を備えることを特徴とする請求項１又は請求項２記載の表面性状測定装置。
【請求項４】
前記図面記号の内容を説明するガイド部
を備えることを特徴とする請求項１乃至請求項３のいずれか１項記載の表面性状測定装置。
【請求項５】
前記表示制御部は、前記表面性状情報を前記図面記号と共に表示する
ことを特徴とする請求項１乃至請求項４のいずれか１項記載の表面性状測定装置。
【発明の詳細な説明】
【技術分野】
【０００１】
本発明は、被測定物の表面性状を測定する表面性状測定装置に関する。
【背景技術】
【０００２】
従来、被測定物の表面性状を測定する表面性状測定装置が知られている。この表面性状測定装置では、被測定物（ワーク）表面の変位が測定結果として得られ、その測定結果から表面性状が演算される。ここで、測定を行う場合、及び表面性状を演算する場合、測定機固有のパラメータ（設定記号）の設定が必要とされていた。つまり、表面性状測定装置の設定は煩雑なものであり、使いづらいものであった。
【０００３】
測定条件の設定を容易に行うことができるようにしたものとして、特許文献１，２には、測定条件の設定漏れや間違いを抑制した表面性状測定装置が開示されている。特許文献１に記載の表面性状測定装置は、測定条件を選択可能な画面をユーザに順次指定させることによって、設定記号を設定するものである。また、特許文献２には、所定の測定条件を入力することにより、その他入力されていない測定条件を特定する表面性状測定装置が開示されている。
【特許文献１】特開平１０−１０３９４７号公報
【特許文献２】特開平１０−１０３９４８号公報
【発明の開示】
【発明が解決しようとする課題】
【０００４】
一方、ユーザによる設定記号の設定は、所定の規格（ＩＳＯ１３０２：２００２等）に従って記載された図面記号に基づいて行われる。図面記号は、所定の図形、及    びその図形の所定位置に配置された記号（数字、文字など）により構成されている。図面記号においては、上記の図形及び記号が、評価曲線の種類、照合方法、評価区間数、カットオフ長さ、フィルタの種類等の各種パラメータをあらわしている。つまり、ユーザは、この図面記号と設定記号との関係を十分に理解していなければならない。したがって、図面記号に基づく設定記号の設定は、ユーザによる入力ミスを誘発するものであり、表面性状測定装置の設定を煩雑なものとする要因となっている。
【０００５】
そこで、本発明は、使い勝手を向上し且つ信頼性を向上させた表面性状測定装置を提供することを目的とする。
【課題を解決するための手段】
【０００６】
本発明に係る表面性状測定装置は、表面性状の表記に関する規格に従って設計図面に記載される図面記号の入力領域を有する図面記号入力画面を表示する表示制御部と、前記図面記号入力画面に設けられた入力領域への前記図面記号の入力を受け付ける入力受付部と、被測定物の表面変位の測定結果から前記入力受付部が受け付けた図面記号に基づき被測定物の表面性状に関する情報である表面性状情報を演算する演算部とを備えることを特徴とする。
【０００７】
上記のような構成を有することにより、ユーザは、例えば紙面に記載された図面記号から直接的に図面記号入力画面に図面記号を入力することが可能となる。よって、ユーザは、図面記号と入力すべき測定機固有のパラメータ（設定記号）との関係を十分に理解していなくともよい。
【０００８】
また、本発明に係る表面性状測定装置は、前記図面記号入力画面と前記図面記号に対応する設定記号の入力領域を有する設定記号入力画面とを切り替えるための画面切替制御を行う表示形式切替部を備え、前記表示制御部は、前記図面記号入力画面を表示しているときの前記表示形式切替部による画面切替制御に従って、前記図面記号入力画面から、入力領域に入力された図面記号を対応する設定記号に変換した前記設定記号入力画面に切替表示し、前記入力受付部は、前記設定記号入力画面に設けられた入力領域への前記設定記号の入力を受け付け、前記演算部は、前記測定結果から前記入力受付部が受け付けた前記設定記号に対応する図面記号に基づき被測定物の表面性状に関する情報である表面性状情報を演算する構成としてもよい。このような構成とすれば、例えば、ユーザは、いずれかの入力に慣れた設定記号入力画面或いは図面記号入力画面に切り替えて入力することが可能であり、入力ミスを抑制することができる。
【０００９】
また、本発明に係る表面性状測定装置は、前記入力受付部にて受け付けた前記図面記号である既入力値が所定の入力条件に合致するか否かを判定する入力条件判定部と、前記既入力値が前記入力条件に合致しないと判定されたときに、その旨を報知する報知部とを備える構成としてもよい。このような構成とすれば、例えば、その判定情報により、ユーザは、既入力値の入力ミスを認識し、その入力ミスを抑制することができる。
【００１０】
また、本発明に係る表面性状測定装置は、前記図面記号の内容を説明するガイド部を備える構成としてもよい。このような構成とすれば、ユーザは、例えば、図面記号の内容を理解することが可能となり、入力ミスを抑制することができる。
【００１１】
また、前記表示制御部は、前記表面性状情報を前記図面記号と共に表示する構成としてもよい。
【発明の効果】
【００１２】
本発明によれば、使い勝手を向上し且つ信頼性を向上させた表面性状測定装置を提供することができる。
【発明を実施するための最良の形態】
【００１３】
以下、添付の図面を参照してこの発明の好ましい実施の形態について説明する。
【００１４】
（表面性状測定装置の構成）
先ず、図１を参照して、本発明の一実施形態に係る表面性状測定装置の概略構成について説明する。図１は、この発明の一実施形態に係る表面性状測定装置の概略構成を示す斜視図である。この表面性状測定装置は、測定機本体（測定部）１と、測定機本体１の駆動を制御すると共に測定機本体１から必要な測定値を取り込むための駆動制御装置１ａと、駆動制御装置１ａを介して取り込まれた測定値に基づき表面性状を演算する等の機能を有する演算処理装置２と、演算処理装置２からの情報を印刷する印刷部２ａとから構成される。測定機本体１は、基台３と、この基台３上に設けられてワーク４を載置するテーブル５と、このテーブル５に載置されたワーク４の表面の変位を検出する変位検出装置６と、これらを操作するための操作部７とを備えて構成されている。
【００１５】
変位検出装置６は次のように構成されている。即ち、基台３には上方に延びるコラム２１が立設されており、このコラム２１にスライダ２２が上下動可能に装着されている。スライダ２２にはアーム２３が装着されている。アーム２３は水平方向に駆動可能に構成されており、その先端には測定子２４が設けられている。上記スライダ２２、アーム２３を移動させ、測定子２４をワーク４の表面と接触させることによって、ワーク４表面の変位が測定データとして得られるようになっている。
【００１６】
変位検出装置６で得られた測定データは、駆動制御装置１ａを介して演算処理装置２に取り込まれ、ここでワーク４の表面性状が求められる。演算処理装置２は、演算処理を実行する演算処理装置本体３１、及び操作部３２、表示画面３３を有する。また、演算処理装置２は、操作部７と同様に測定機本体１の動作を制御可能に構成されている。
【００１７】
次に、図２を参照して、演算処理装置本体３１の構成について説明する。図２は、本発明の一実施形態に係る演算処理装置本体３１の構成を示すブロック図である。
【００１８】
演算処理装置本体３１は、主に、ＣＰＵ４１、ＲＡＭ４２、ＲＯＭ４３、ＨＤＤ４４、表示制御部４５を有する。演算処理装置本体３１において、操作部３２から入力されるコード情報及び位置情報は、Ｉ／Ｆ４６ａを介してＣＰＵ４１に入力される。ＣＰＵ４１は、ＲＯＭ４３に格納されたマクロプログラム及びＨＤＤ４４からＩ／Ｆ４６ｂを介してＲＡＭ４２に格納された各種プログラムに従って、測定実行処理、表面性状演算処理を実行する。
【００１９】
ＣＰＵ４１は、測定実行処理に従って、Ｉ／Ｆ４６ｃより駆動制御装置１ａを介して測定機本体１を制御する。ＨＤＤ４４は、各種制御プログラムを格納する記録媒体である。ＲＡＭ４２は、各種プログラムを格納する他、各種処理のワーク領域を提供する。また、ＣＰＵ４１は、表示制御部４５を介して表示画面３３に測定結果等を表示する。表示制御部４５は、記号入力画面（図面記号の入力領域を有する図面記号入力画面、或いは設定記号の入力領域を有する設定記号入力画面）を表示する機能を有する。
【００２０】
ＣＰＵ４１は、ＨＤＤ４４から各種プログラムを読み出し、そのプログラムを実行することにより、測定制御部４１ａ、表示形式切替部４１ｂ、入力受付部４１ｃ、入力条件判定部４１ｄ、報知部４１ｅ、ガイド部４１ｆ、演算部４１ｇとして機能する。
【００２１】
測定制御部４１ａは、受け付けた測定条件に基づき測定機本体１を制御する。表示形式切替部４１ｂは、図面記号入力画面と図面記号に対応する設定記号の入力領域を有する設定記号入力画面とを切り替える画面切替制御を行う機能を有する。ここで、上述した表示制御部４５は、図面記号入力画面を表示しているときの表示形式切替部４１ｂによる画面切替制御に従って、図面記号入力画面から、入力領域に入力された図面記号を対応する設定記号に変換した設定記号入力画面に切替表示する。入力受付部４１ｃは、入力記号（設定記号、或いは図面記号）の記号入力画面に設けられた入力領域への入力を受け付ける。
【００２２】
入力条件判定部４１ｄは、入力受付部４１ｃにて受け付けた入力記号である既入力値が所定の入力条件に合致するか否かを判定する。報知部４１ｅは、既入力値が入力条件に合致しないと判定されたときに、その旨を報知する。ガイド部４１ｆは、入力記号の内容を説明するガイド画面を表示画面３３に表示する。
【００２３】
演算部４１ｇは、被測定物の表面変位の測定結果から入力受付部４１ｃが受け付けた図面記号に基づき被測定物の表面性状に関する情報である表面性状情報を演算する。また、演算部４１ｇは、測定結果から入力受付部４１ｃが受け付けた設定記号に対応する図面記号に基づき表面性状情報を演算する。
【００２４】
（表面性状測定における図面記号）
次に、図３、及び図４を参照して、所定の規格で定められた表面性状測定に用いられる図面記号について説明する。表面性状測定における図面記号は、図３に示す形式にてあらわされる。図３における符号ａ〜符号ｅ、図記号Ａは、以下に示す情報を意味する。
【００２５】
符号ａ：通過帯域または基準長さ、表面性状パラメータ記号とその値
符号ｂ：複数パラメータが要求されたときの二番目移行のパラメータ指示
符号ｃ：加工方法
符号ｄ：筋目とその方向
符号ｅ：削り代
図記号Ａ：除去加工の有無（図記号Ａの場合は加工有り）
そして、例えば、符号ａの箇所には、例えば、図４に示すように左側から順次、以下の情報が記載される。
【００２６】
・上限又は下限値の表示
・フィルタタイプ
・フィルタの通過帯域（低域フィルタ−高域フィルタ）
・表面性状パラメータの記号
・評価長さ（基準長さの数で表示）
・許容限界の方式
・許容限界値
本実施形態に係る表面性状測定装置は、ユーザによって、上記のように所定規格で定められた表面性状測定に用いられる図面記号が参照され、表面性状測定に関する図面記号の入力を受け付ける。
【００２７】
（表面性状測定装置の表面性状演算動作）
次に、図５を参照して、表面性状測定装置の表面性状演算動作を説明する。図５は、表面性状測定装置の表面性状演算動作を示すフローチャート図である。ここで、図５に示す表面性状演算動作は、測定機本体１にてワーク４の表面変位が測定され、測定結果が得られた後に実行されるものとする。
【００２８】
図５に示すように、先ず、表示制御部４５は、記号入力画面を表示画面３３に表示する（ステップＳ１０１）。
【００２９】
続いて、入力受付部４１ｃは、操作部３２より入力記号の入力を受け付けたか否かを判断する（ステップＳ１０２）。ここで、入力受付部４１ｃは、入力記号の入力を受け付けたと判断すると（ステップＳ１０２，Ｙ）、入力条件判定部４１ｄは、既入力値が所定の入力条件に合致するか否かを判断する（ステップＳ１０３）。例えば、このステップＳ１０３において、入力条件判定部４１ｄは、既入力値が正確な文法で入力されたか否かを判断する。
【００３０】
ステップＳ１０３にて、入力条件判定部４１ｄが、既入力値が所定の入力条件に合致しないと判断すると（ステップＳ１０３，Ｎ）、報知部４１ｅは、その旨を報知する（ステップＳ１０４）。例えば、ステップＳ１０４における報知は、警告音や、警告通知情報を表示画面３３に表示する等の通知を含む。
【００３１】
入力受付部４１ｃが、入力記号の入力を受け付けていないと判断した場合（ステップＳ１０２，Ｎ）、及び入力条件判定部４１ｄが、既入力値が所定の入力条件に合致していると判断した場合（ステップＳ１０３，Ｙ）、続いて、入力受付部４１ｃは、記号入力画面の画面切替制御を実行させる切替入力を受け付けたか否かを判断する（ステップＳ１０５）。ここで、入力受付部４１ｃは、切替入力を受け付けたと判断すると（ステップＳ１０５，Ｙ）、表示形式切替部４１ｂは、記号入力画面に対して画面切替制御を行う（ステップＳ１０６）。なお、ステップＳ１０６の画面切替制御は、切り替え前後において図面記号と設定記号とが対応するように行われる。
【００３２】
ステップＳ１０６の処理の後、或いは入力受付部４１ｃが、切替入力を受け付けていないと判断した場合（ステップＳ１０５，Ｎ）、入力受付部４１ｃは、入力記号の内容を説明するとのガイド指示入力を受け付けたか否かを判断する（ステップＳ１０７）。ここで、入力受付部４１ｃは、ガイド指示入力を受け付けたと判断すると（ステップＳ１０７，Ｙ）、ガイド部４１ｆは、入力記号の内容を説明するガイド表示を表示画面３３に表示する（ステップＳ１０８）。
【００３３】
ステップＳ１０８の処理の後、或いは入力受付部４１ｃが、ガイド指示入力を受け付けていないと判断した場合（ステップＳ１０７，Ｎ）、続いて、入力受付部４１ｃは、測定結果から入力記号に基づき、表面性状情報を演算するとの演算実行入力を受け付けたか否かを判断する（ステップＳ１０９）。ここで、入力受付部４１ｃが、演算実行入力を受け付けていないと判断すると（ステップＳ１０９，Ｎ）、再びステップＳ１０２からの処理が繰り返し実行される。
【００３４】
一方、ステップＳ１０９において、入力受付部４１ｃが、演算実行入力を受け付けたと判断すると（ステップＳ１０９，Ｙ）、演算部４１ｇは、測定結果から入力記号に基づき、演算を行い、表面性状情報を生成する（ステップＳ１１０）。そして、表示制御部４５は、表面性状情報を入力記号と共に表示画面３３に表示する（ステップＳ１１１）。以上で、表面性状測定装置の表面性状演算動作が終了する。
【００３５】
（記号入力画面の一例）
次に、図６を参照して、記号入力画面の一例を説明する。図６は、記号入力画面の一例を示す図である。図６において、その上部に、図面記号の入力に用いられる図面記号入力画面５１を示す。また、図６において、その下部に、設定記号の入力に用いられる設定記号入力画面５２を示す。図６に示す、図面記号入力画面５１或いは設定記号入力画面５２は、上述した表示形式切替部４１ｂにて相互に切り替え可能に構成されている。
【００３６】
図６に示すように、図面記号入力画面５１の中央部には、図面記号の入力を受け付ける各種入力ボックス２０１〜２０８（図面記号の入力領域）が表示されている。また、図面記号入力画面５１の下方には、各種実行ボタン２０９〜２１４が設けられている。
【００３７】
図面記号入力画面５２に表示される各種入力ボックス２０１〜２０８内の値は、図３及び図４に示した図面記号の各種パラメータに対応するものである。
【００３８】
ホームボタン２０９は、押し下げに応じて、ホームに設定した表示形式で記号入力画面を表示させるものである。演算ボタン２１０は、押し下げに応じて、測定結果から図面記号に基づき、表面性状情報を演算させるものである。切り替えボタン２１１は、押し下げに応じて、表示形式切替部４１ｂにて図面記号入力画面５１から設定記号入力画面５２へと画面切替制御を行うものである。演算結果ボタン２１２は、押し下げに応じて、演算部４１ｇにて演算した表面性状情報を図面記号と共に表示させるものである。グラフ解析ボタン２１３は、押し下げに応じて、表面性状情報をグラフにて表示させるものである。ＨＥＬＰボタン２１４は、押し下げに応じて、ガイド部４１ｆにて各種入力ボックス２０１〜２０８内に入力された図面記号の内容を文書又は表で分かり易く解説させるものである。
【００３９】
図６に示すように、設定記号入力画面５２の中央部には、設定記号の入力を受け付ける各種入力ボックス３０１〜３１３（設定記号の入力領域）が表示されている。また、設定記号入力画面５２の下方には、各種実行ボタン３１４〜３１９が設けられている。
【００４０】
規格入力ボックス３０１は、図面記号入力画面５１に対応する画面切替制御に用いられる規格（ＪＩＳ１９９４など）の入力を受け付ける。曲線入力ボックス３０２は、測定断面曲線の種類（Ｒなど）の入力を受け付ける。例えば、この上位の規格入力ボックス３０１によって、後述するフィルタ入力ボックス３０３等の下位の設定記号の入力受け付けは拘束される。フィルタ入力ボックス３０３は、輪郭曲線フィルタ（ＧＡＵＳＳ等）の種類の入力を受け付ける。波長（λｓ、λｃ、λｆ）入力ボックス３０４〜３０６は、フィルタに用いる波長の入力を受け付ける。区間入力ボックス３０７は、測定点にフィルタをかける区間（５など）の入力を受け付ける。助走／後走入力ボックス３０８は、測定点間の速度制御を実行するか否かの入力を受け付ける。切り欠き入力ボックス３０９は、ワークの切り欠き部を指定するか否かの入力を受け付ける。曲線補正入力ボックス３１０は、曲線の補正をするか否かの入力を受け付ける。Ｎ箇所測定入力ボックする３１１は、測定箇所の数の入力を受け付ける。合否判定入力ボックス３１２は、演算結果を合否判定するか否かの入力を受け付ける。測定長さ入力ボックス３１３は、測定長さの入力を受け付ける。
【００４１】
設定記号入力画面５２の各種実行ボタン３１４，３１７〜３１９は、図面記号入力画面５１における各種実行ボタン２０９，２１２〜２１４と略同様の動作を実行させるものである。設定記号入力画面５２の切り替えボタン２１６は、押し下げに応じて、表示形式切替部４１ｂにて設定記号入力画面５２から図面記号入力画面５１へと画面切替制御を行うものである。また、演算ボタン３１５は、押し下げに応じて、測定結果から設定記号に対応する図面記号に基づき、表面性状情報を演算させるものである。
【００４２】
以上のように本発明に係る一実施形態によれば、表示制御部４５は、表示画面３３に図面記号入力画面５１を表示させ、入力受付部４１ｃは、図面記号入力画面５１の入力ボックス２０１〜２０８にて図面記号の入力を受け付ける。そして、演算部４１ｇは、受け付けた図面記号に基づき測定結果から表面性状情報を演算する。したがって、ユーザは、例えば紙面に記載された図面記号を参照して直接的に図面記号入力画面５１に図面記号を入力することが可能となる。よって、ユーザは、図面記号と入力すべき測定機固有のパラメータ（設定記号）との関係を十分に理解していなくともよい。つまり、本実施形態に係る表面性状測定装置は、使い勝手を向上し且つ信頼性を向上させたものとなる。
【００４３】
また、本発明に係る一実施形態によれば、表示形式切替部４１ｂにて、設定記号入力画面５２と図面記号入力画面５１とを相互に切り替えることができる。したがって、ユーザは、いずれかの入力に慣れた画面に切り替えて入力することが可能であり、入力ミスを抑制することができる。
【００４４】
また、入力条件判定部４１ｄ及び報知部４１ｅは、既入力値が所定の入力条件に合致しないと判定されたときに、その旨を報知する。したがって、例えば、その報知により、ユーザは、入力ミスを認識し、その入力ミスを抑制することができる。また、ガイド部４１ｆは、入力記号の内容を説明する。したがって、ユーザは、入力記号（特に図面記号）の内容を理解することが可能となり、入力ミスを抑制することができる。
【００４５】
以上、発明の実施形態を説明してきたが、本発明は、上記実施形態に限られるものではない。例えば、図６に示した各種入力ボックス２０１〜２０８、３０１〜３１３は、直接値を入力するものである必要はなく、各種入力ボックス２０１〜２０８、３０１〜３１３の代わりに、入力記号の選択を受け付けるプルダウンメニューを設ける構成であってもよい。
【図面の簡単な説明】
【００４６】
【図１】本発明の一実施形態に係る表面性状測定装置の概略構成を示す斜視図である。
【図２】本発明の一実施形態に係る演算処理装置本体３１の構成を示すブロック図である。
【図３】所定の規格で定められた表面性状測定に用いられる図面記号を示す図である。
【図４】所定の規格で定められた表面性状測定に用いられる図面記号を示す図である。
【図５】本発明の一実施形態に係る表面性状測定装置の表面性状演算動作を示すフローチャートである。
【図６】本発明の一実施形態に係る表面性状測定装置の記号入力画面（図面記号入力画面５１、設定記号入力画面５２）の一例を示す図である。
【符号の説明】
【００４７】
１…測定機本体、１ａ…駆動制御装置、２…演算処理装置、２ａ…プリンタ、３…基台、４…ワーク、５…テーブル、６…変位検出装置、７…操作部、２１…コラム、２２…スライダ、２３…アーム、２４…測定子、３１…演算処理装置本体、３２…操作部、３３…表示画面。
【図１】
0004417986.tif 000002
【図２】
0004417986.tif 000003
【図３】
0004417986.tif 000004
【図４】
0004417986.tif 000005
【図５】
0004417986.tif 000006
【図６】
0004417986.tif 000007